(57)【要約】【課題】情報機器用ラックを仕分け台車に対して邪魔になることなく取付けることができるようにすること。【解決手段】フレーム１２を第１分割部材７１と第２分割部材７２によって構成するとともに、それらの分割部材７１，７２間にヒンジを介在させて、そのヒンジの部分においてフレーム１２を折曲げ可能にした。第１分割部材７１の後面には仕分け台車の保持筒１０４に上方から挿入可能にした挿入ピンを有する第１ブラケット２２が設けられ、第２分割部材７２の後面には仕分け台車の横枠１０２に上方から掛止め可能にした第２ブラケット３１が設けられている。【選択図】図２
2019033115.tif 000002
【特許請求の範囲】
【請求項１】
フレームの前側には情報機器を搭載するための情報機器搭載部を有し、前記フレームの後側には作業機器に対して取付け可能にした取付部を有する情報機器用ラックにおいて、
前記フレームを複数の分割部材によって構成するとともに、隣接する分割部材間にヒンジを介在させて、そのヒンジの部分において前記フレームを折曲げ可能にした情報機器用ラック。
【請求項２】
前記取付部は、
１つの前記分割部材の後面に設けられ、前記作業機器の筒部に上方から挿入可能にしたピンを有する第１ブラケットと、
前記分割部材とは異なる他の分割部材の後面に設けられ、前記作業機器の横枠に上方から掛止め可能にした第２ブラケットと
により構成した請求項１に記載の情報機器用ラック。
【請求項３】
前記第１ブラケットは、前記ピンと対向し、分割部材の後面に当接する当接部材を有する請求項２に記載の情報機器用ラック。
【請求項４】
前記第１ブラケット及び第２ブラケットは、分割部材の幅方向において位置調節可能である請求項２または３に記載の情報機器用ラック。
【請求項５】
前記第２ブラケットは、軸を中心にして横方向の向きを変更可能である請求項２〜４のうちのいずれか一項に記載の情報機器用ラック。
【請求項６】
隣接する前記分割部材間には、折り曲げ角度を維持するための維持手段を設けた請求項１〜５のうちのいずれか一項に記載の情報機器用ラック。
【発明の詳細な説明】
【技術分野】
【０００１】
本発明は、仕分け台車などの作業機器に対して情報機器を支持するための情報機器用ラックに関するものである。
【背景技術】
【０００２】
特許文献１には、仕分け台車に取付けられる情報機器用ラックが開示されている。この装置には、直線的な一体フレームが設けられ、その一体フレームの前面には情報端末を搭載するための端末搭載部と、プリンタを搭載するためのプリンタ搭載部とが並設されている。そして、仕分け作業などの内容を端末搭載部に搭載された端末に入力して、その結果をプリンタによって出力できるようになっている。
【先行技術文献】
【特許文献】
【０００３】
【特許文献１】意匠登録第１５６７２１３号公報
【発明の概要】
【発明が解決しようとする課題】
【０００４】
前記のように、特許文献１の情報機器用ラックにおいては、直線的な一体フレームに端末搭載部とプリンタ搭載部とが設けられているため、情報機器用ラック全体の横幅が広くなる。このため、仕分け台車の前面に情報機器用ラックを支持することが困難である。すなわち、一般的な仕分け台車は、前面側が開放されて、左右両側面と後面側が枠状の壁になっている。従って、このような仕分け台車の前面に幅の広い情報機器用ラックを前向きに搭載することは作業者の作業に対して邪魔になるため、同装置は、仕分け台車の側壁において横向きに搭載される。このため、仕分け台車の前面に位置する作業者の利便性、言い換えれば使いやすさの点において好ましいものではない。
【０００５】
本発明の目的は、作業者が情報端末機器やプリンタなどの機器を操作しやすい位置に搭載することを可能にした情報機器用ラックを提供することにある。
【課題を解決するための手段】
【０００６】
以上の目的を達成するために、本発明においては、フレームの前側には情報機器を搭載するための情報機器搭載部を有し、前記フレームの後側には作業機器に対して取付け可能にした取付け部を有する情報機器用ラックにおいて、前記フレームを複数の分割部材によって構成するとともに、隣接する分割部材間にヒンジを介在させて、そのヒンジの部分において前記フレームを折曲げ可能にしたことを特徴とする。ここで、情報機器用ラックは、情報機器の取付側を前側、作業機器に対する取付側を後側とする。
【０００７】
以上の構成においては、フレームが分割部材間において折曲げられるため、情報機器用ラックを作業機器前面の幅端部と側面との間に邪魔になることなく設置できる。しかも、ひとつの分割部材を作業機器の前面に配置できるため、頻繁に操作される情報端末をその分割部材に対して搭載することにより、作業者は不便を感じることがなく、作業を効率よく実行できる。
【発明の効果】
【０００８】
本発明によれば、情報機器用ラックを作業機器に対して邪魔になることなく取付けることができる効果がある。
【図面の簡単な説明】
【０００９】
【図１】実施形態の情報機器用ラックが取り付けられた状態の仕分け台車を示す斜視図。
【図２】仕分け台車に対する情報機器用ラックの取り付け状態を後面側から見た斜視図。
【図３】情報機器用ラックを前面側から見た斜視図。
【図４】情報機器用ラックを後面側から見た斜視図。
【図５】情報機器用ラックの後面図。
【図６】情報機器用ラックの平面図。
【図７】図６の７−７線断面図。
【図８】図６の８−８線断面図。
【発明を実施するための形態】
【００１０】
以下、本発明を具体化した実施形態を図面に基づいて説明する。
図１に示すように、本実施形態の情報機器用ラック１１（以下、単にラックという）は、前面を情報機器を搭載するための情報機器搭載部とする。このラック１１は、作業機器としての前面を開放した仕分け台車１０１の一方のサイド格子部１００の前縁部に支持される。
【００１１】
図２〜図４に示すように、ラック１１のフレーム１２は、前側をそれぞれ情報機器搭載部とした第１分割部材７１と第２分割部材７２とを備え、それらの基板１３及び基板１４においては、後面の上下両端にそれぞれ上部支持枠１５及び下部支持枠１６が固定されるとともに、第１，第２分割部材７１，７２の対接部分には側枠１７が固定されている。両分割部材７１，７２の側枠１７間には上下一対のヒンジ１８が介在されている。
【００１２】
そして、図６に実線及び２点鎖線で示すように、これらのヒンジ１８により第１分割部材７１と第２分割部材７２との間は鋭角状及び鈍角状に無段階に折り曲げられた状態と一平面上において連続する状態とに配置される。
【００１３】
フレーム１２の両端に位置する基板１３及び基板１４の端部にはハンドル１９がそれぞれ取付けられている。
図２〜図４に示すように、前記上下の支持枠１５，１６には、横方向に延びる取付溝２１が形成されている。基板１３の上部支持枠１５には取付部を構成する第１ブラケット２２が取付けられている。図２，図４及び図７に示すように、この第１ブラケット２２は、固定部材としての固定板２４と、当接部材としての当接板２３とを備えている。当接板２３は、先端側の折曲部が上下の支持枠１５，１６の後面に当接している。そして、両板２４，２３の基端部側の折曲部が前記取付溝２１を通るネジ２７により、共締め状態で上部支持枠１５の上面に固定されている。従って、ネジ２７を緩めることにより、第１ブラケット２２は取付溝２１に沿って左右に移動して分割部材の幅方向に位置調節できる。固定板２４には前後に延びる長孔２６が形成され、ネジ２７はその長孔２６を通っている。このため、固定板２４が長孔２６の延長方向に沿って前記幅方向と直交する方向に位置調節される。
【００１４】
図７に示すように、固定板２４の外側面にはネジ２７により挿入ピン２９が固定され、その挿入ピン２９の上端部には環状のストッパ２８が固定されている。そして、挿入ピン２９が仕分け台車１０１のサイド格子部１００における前端の縦枠１０５に固定した筒部としての保持筒１０４に上方側から挿入される。このとき、挿入ピン２９と保持筒１０４と位置関係に応じて固定板２４が前記長孔２６の長さの範囲内で位置調節される。
【００１５】
図２，図４及び図８に示すように、第２分割部材７２側の下部支持枠１６の上面には取付部を構成する第２ブラケット３１が支持されている。この第２ブラケット３１は、下部支持枠１６の取付溝２１に２本のネジ２７によって支持された取付板３２と、その取付板３２にネジ軸２５によって回動可能に支持された当接部材として当接板３５と、その当接板３５にネジ２７によって取付られた掛止部材としての掛止板３４とを備えている。当接板３５及び掛止板３４は、下方へ向かって折曲げられ、掛止板３４がサイド格子部１００の横枠１０２の上面に掛止めされるとともに、当接板３５が横枠１０２の側面に当接されて、当接板３５と掛止板３４とにより横枠１０２が挟持される。従って、横枠１０２と第２分割部材７２との位置関係に応じて、第２ブラケット３１を取付溝２１に沿って位置調節できるとともに、ネジ軸２５を中心に横方向（ほぼ水平面内）の向きを調節できる。
【００１６】
当接板３５は円弧孔３７を備え、前記横枠１０２と第２分割部材７２との位置関係に応じてこの円弧孔３７の長さの範囲内において前記のように当接板３５及び掛止板３４の向きを調節可能である。掛止板３４は一対の長孔３８を備え、この長孔３８の範囲内において当接板３５と掛止板３４との間の間隔を横枠１０２の厚さに応じて調節可能である。
【００１７】
図６に示すように、第１分割部材７１側及び第２分割部材７２側の上部支持枠１５間には維持手段としてのリテーナ４１が介在されている。そして、リテーナ４１の両端がネジ２７によって両上部支持枠１５の取付溝２１に支持されている。従って、ネジ２７を締めることにより、第１分割部材７１と第２分割部材７２との間を任意の角度に維持できる。リテーナ４１の両端には、円弧孔４２が透設されている。
【００１８】
図３に示すように、第１分割部材７１の基板１３の前面にはクッション板５１を備えた上下一対の受け板５２がネジ２７と長孔５３より上下位置調節可能に支持されている。受け板５２の上端部または下端部の横孔５４にはスライド板５５がネジ２７を介して左右位置調節可能に支持されている。スライド板５５にはネジ２７及び長孔５６を介してアーム５７が前後位置調節可能に支持され、それらの前端には情報機器としての情報端末機器１１０を保持するための保持部材５８が軸５９を介して垂直面内において回転可能に支持されている。図３及び図５に示すように、受け板５２の前面及び後面には第１分割部材７１の幅方向におけるスライド板５５の位置を指示する目盛６０が付されている。図３に示すように、第１分割部材７１の前面には目盛６３を有するスケール板６４が取付けられ、このスケール板６４に従って、受け板５２の上下位置を調節できる。
【００１９】
図３に示すように、基板１４の前面には、ネジ２７と長孔６１とにより、受け板６２が上下位置調節可能に配置されている。この受け板６２に情報機器としてのプリンタ１１１が支持される。
【００２０】
なお、図７及び図８に示すように、前記ネジ２７やネジ軸２５には、雌ネジ孔を有する部材やナットなどの雌ネジ部材３０が支持枠１５，１６など他部材を挟んだ位置において螺合されている。
【００２１】
次に、以上のように構成された情報機器用ラック１１の作用を説明する。
本実施形態の情報機器用ラック１１を仕分け台車１０１に取付ける場合は、図１に示すように、仕分け台車１０１のサイド格子部１００の前側の前バー１０３の先端フック１０３ａを保持筒１０４から外し、前バー１０３を不使用状態である垂下位置に退避させる。
【００２２】
一方、リテーナ４１を固定状態にしているネジ２７を緩め、第１ブラケット２２の各ネジ２７を緩めるとともに、第２ブラケット３１の各ネジ２７及びネジ軸２５を緩めて、第１ブラケット２２及び第２ブラケット３１の位置や向きを変更できるようにする。
【００２３】
そして、図２に示すように、情報機器用ラック１１の第１ブラケット２２の挿入ピン２９を仕分け台車１０１の保持筒１０４に挿入するとともに、第２ブラケット３１の掛止板３４を仕分け台車１０１の横枠１０２に掛け止めする。この状態では、第１ブラケット２２のストッパ２８が保持筒１０４の上面に係合するとともに、第２ブラケット３１の掛止板３４が横枠１０２の上面に係合して、掛止板３４及び当接板３５により横枠１０２を挟持する。
【００２４】
そして、この状態で、第１分割部材７１と第２分割部材７２とのなす角度を適切な任意の値にして、各部のネジ２７及びネジ軸２５を締め付けて、第１，第２分割部材７１，７２の角度を固定するとともに、第１，第２ブラケット２２，３１をサイド格子部１００に対して固定する。このようにすれば、図１に示すように、仕分け台車１０１の前側の所要の位置に、かつ所要の折曲角度をなす状態で取付固定される。
【００２５】
なお、第１分割部材７１の前面に対する情報端末機器１１０の搭載及び第２分割部材７２の前面に対するプリンタ１１１の搭載は、仕分け台車１０１に対するラック１１の取付の前あるいは後のいずれでもよい。
【００２６】
従って、この状態で、作業者は情報端末機器１１０を操作したり、プリンタ１１１から用紙に対してデータを出力させたりすることができる。
この場合、本実施形態においては、端末機器１１０を搭載する第１分割部材７１とプリンタを支持する第２分割部材７２との間が屈曲されているため、ラック１１全体の横幅が狭くなる。このため、ラック１１を仕分け台車１０１の前面に邪魔になることなく支持することができる。このため、仕分け台車１０１の前面に位置する作業者の作業上の利便性、つまり作業のしやすさの点において好ましいものとなる。
【００２７】
本実施形態においては、以下の効果がある。
（１）第１分割部材７１と第２分割部材７２とが角度調節可能に連結されているため、第１分割部材７１を仕分け台車１０１の前側の左右いずれかの縦枠１０５に支持して、第２分割部材７２を後方に折り畳めば、ラック１１を仕分け台車１０１の前面において仕分け作業の邪魔になることなく設置できる。従って、仕分け台車１０１の前面側に位置する第１分割部材７１に入力端末を搭載することにより、作業者は、作業内容に関する情報を容易に入力できる。ちなみに、第２分割部材７２に搭載されたプリンタ１１１は、縦枠１０５の後方に位置することになるが、プリンタ１１１に対する手作業操作は回数が少ないし、視覚確認作業もほとんどないため、問題はない。
【００２８】
（２）リテーナ４１により、第１分割部材７１と第２分割部材７２とのなす角度を所要の調節状態に維持できる。従って、作業者は、ラック１１を使いやすい角度にして、作業を行なうことができる。また、リテーナ４１の両端に円弧孔３７が設けられているため、必要に応じて円弧孔３７を通るネジ２７を取付溝２１に支持すれば、リテーナ４１を強固に固定できる。
【００２９】
（３）リテーナ４１のネジ２７が上部支持枠１５の取付溝２１内に位置しているため、第１分割部材７１と第２分割部材７２とのなす角度を無段階に調節できて、その調節角度を安定維持できる。従って、仕分け台車１０１を床面上において走行させても、両分割部材７１，７２のなす角度が変わったりすることを防止できる。
【００３０】
（４）情報端末機器１１０を保持するための保持部材５８をスライド板５５とともに目盛６０により適正位置に配置できる。従って、情報端末機器１１０の形状や大きさに対応して情報端末機器１１０をラック１１上の適切な位置に配置できる。
【００３１】
（５）第１ブラケット２２は、挿入ピン２９と第１分割部材７１との間に位置し、上下の支持枠１５，１６に当接する当接板２３を有している。このため、上下の支持枠１５，１６が保持筒１０４に当たって変形することを回避できる。
【００３２】
（６）第２ブラケット３１は、仕分け台車１０１の横枠１０２の上面及び側面に掛止される掛止板３４と、横枠１０２の他の側面に当接される当接板３５とを有する。このため、挿入ピン２９が仕分け台車１０１の保持筒１０４に挿入保持されることと相俟って、ラック１１を仕分け台車１０１に安定して取付けることができる。
【００３３】
（７）第１ブラケット２２及び第２ブラケット３１は、第１，第２分割部材７１，７２の幅方向において位置調節可能である。また、第１ブラケット２２の挿入ピン２９を有する固定板２４は前記幅方向と直交する方向に位置調節可能である。さらに、第２ブラケット３１の掛止板３４及び当接板３５は、その横方向の向きを変更可能であり、掛止板３４及び当接板３５との間隔は調節可能である。このため、第１，第２分割部材７１，７２のなす角度に応じて仕分け台車１０１をラック１１に対して無理なく取付けることができる。
【００３４】
（変更例）
なお、前記実施形態は、次のように変更して具体化することも可能である。
・第１分割部材７１及び第２分割部材７２の前面に搭載する端末機器１１０とプリンタ１１１とを入れ換えたり、計算機や電話機などの他の種類の機器に変更したりすること。
【００３５】
・実施形態のラック１１を仕分け台車１０１以外の作業機器、例えば、搬送台車に支持するようにすること。
・前記実施形態では、２つの分割部材７１，７２を設けたが、分割部材の数を３または４にすること。
【符号の説明】
【００３６】
１１…情報機器用ラック、１２…フレーム、１５…上部支持枠、１６…下部支持枠、１８…ヒンジ、２２…第１ブラケット、３１…第２ブラケット、７１…第１分割部材、７２…第２分割部材。
【図１】
2019033115.tif 000003
【図２】
2019033115.tif 000004
【図３】
2019033115.tif 000005
【図４】
2019033115.tif 000006
【図５】
2019033115.tif 000007
【図６】
2019033115.tif 000008
【図７】
2019033115.tif 000009
【図８】
2019033115.tif 000010